(57)【特許請求の範囲】
【請求項１】
クラスターであるカルボランを一構成単位として、前記カルボランが所定数規則正しく配列して連結されたクラスター構造を有することを特徴とするスーパークラスター。
【請求項２】
前記一構成単位である前記カルボランがすべてオルト-カルボランであることを特徴とする請求項１に記載のスーパークラスター。
【請求項３】
前記一構成単位である前記カルボランがすべてメタ-カルボランであることを特徴とする請求項１に記載のスーパークラスター。
【請求項４】
前記一構成単位である前記カルボランがすべてパラ-カルボランであることを特徴とする請求項１に記載のスーパークラスター。
【請求項５】
前記一構成単位である前記カルボランとしてオルト-カルボラン、メタ-カルボラン、及びパラ-カルボランが用いられるようにしたことを特徴とする請求項１に記載のスーパークラスター。
【請求項６】
連結される前記カルボランの数は4個又は13個であることを特徴とする請求項１に記載のスーパークラスター。
【請求項７】
カルボランをイオン化してカルボランイオンを生成する工程と、該カルボランイオンと中性のカルボランとを逐次的に反応させる工程とを有し、分子式C2mB10mH12m-x（x：正の整数、m：2以上の整数）で表されるクラスター構造を有するスーパークラスターを製造する方法。
【請求項８】
カルボランイオンを電気的に所定の領域内に保持する工程と、前記領域内で前記カルボランイオンと、中性のカルボランとを逐次的反応させる工程とを有し、分子式C2mB10mH12m-x（x：正の整数、m：2以上の整数）で表されるクラスター構造を有するスーパークラスターを製造する方法。
【発明の詳細な説明】
【０００１】
【発明の属する技術分野】
本発明は、ホウ素を豊富に含み、熱力学的にも化学的にも非常に安定なクラスター分子であるカルボラン（C2B10H12の場合、ホウ素の含有率〜75重量％）を構成単位とするクラスター（スーパークラスター）に関する。
【０００２】
【従来の技術】
一般名称としてのカルボランは、水素化ホウ素に炭素原子が組み込まれた化合物で、中空のかご型構造を持つ。水素化ホウ素は、ホウ素（boron）の水素化物で、アルカン（alkane、飽和炭化水素）との類似により、ボラン（borane）と呼ばれ、良く知られたボランとしては、比較的安定で工業的に重要なB10H14の分子式で表されるデカボラン（14）（図1（a）参照）が挙げられる。デカボラン（14）は、頂点が12個のホウ素原子から成る正20面体から隣り合う2個のホウ素原子が取り除かれたバスケット型のホウ素骨格を持つ。さらに、残りの10個のホウ素原子が水素原子で終端され、また、開いた部分のある隣り合う2個のホウ素原子が4箇所、水素原子により架橋された分子構造を持つ。前述と逆の手順で、デカボラン（14）の4個の架橋水素を取り除き、開いた部分に2個の炭素原子を挿入し、正20面体を完成させ、2個の炭素原子と10個のホウ素原子のすべてが水素原子で終端された分子が、オルト-カルボラン（o-carborane、1,12-ジカルバ-クロソ-ドデカボラン: 1,12-dicarba-closo-dodecaborane、分子式：C2B10H12、図1（b）参照）であり、代表的なカルボランの1つとして知られている。
【０００３】
実際、オルト-カルボランはデカボラン（14）から合成され、アセトニトリルやアルキルアミンなどのルイス塩基の存在下、デカボラン（14）にアセチレン（HC≡CH）を作用させることにより、オルト-カルボランが得られる。オルト-カルボランには、2個の炭素原子の相対的な位置関係から、2種類の異性体が存在し、それぞれ、2個の炭素原子の間に1個のホウ素原子を挟んでいるメタ-カルボラン（m-carborane、1,7-ジカルバ-クロソ-ドデカボラン: 1,7-dicarba-closo-dodecaborane、図1（c）参照）、2個の炭素原子が正20面体の中心に対して対称的に位置するパラカルボラン（p-carborane、1,2-ジカルバ-クロソ-ドデカボラン: 1,2-dicarba-closo-dodecaborane、図1（d）参照）と呼ばれている。
【０００４】
オルト-カルボランを不活性雰囲気下、425℃で加熱すると、不可逆的にすべてメタ-カルボランに異性化し、また、700℃で加熱すると、やはり不可逆的に75％のメタ-カルボランと25％のパラ-カルボランに異性化する。一般に、幾何学的に閉じたかご型ボランクラスター：BnHn系では、かご型骨格にn + 1個の結合性分子軌道が存在し、電子構造的に閉殻するためには、この結合性軌道を満たす2 (n + 1)個の電子が必要である。ホウ素1原子は3個の価電子を持っているが、B-H結合に1電子を使っているので、残り2電子のみ骨格を形成するために使うことが出来る。例えば、正20面体構造のB12H12（n = 12、ドデカボラン）を考えると、電子的に閉殻するためには、2 (n + 1) = 26個の電子が必要であるが、構成ホウ素原子が12個なので、骨格形成のために利用可能な電子数は2×12 = 24個であり、2個電子が足りない。そのため、中性のB12H12は電子的に閉殻出来ず不安定である。
【０００５】
しかし、B12H12の2個のホウ素原子を2個の炭素原子で置換したカルボラン：C2B10H12の場合を考えると、炭素原子の価電子は4個なので、炭素原子1個当たり、CH結合に使用する1個の電子を除いた3個の電子を骨格形成のために利用出来る。従って、カルボラン：C2B10H12では、かご型骨格形成のために、合計2×10 + 3×2 = 26個の電子を利用出来るので、結合性軌道を完全に満たし、電子的に閉殻することが可能である。そもそも、カルボラン：C2B10H12は幾何学的に閉殻して強固な分子構造を持っており、これと以上に述べた電子的閉殻による安定化の相乗効果により、非常に安定であると期待される。
【０００６】
以下、本明細書では、C2B10H12をカルボランと称する。実際、合成のための出発物質であるボラン類は一般に不安定であるのに対し、カルボランは、酸化剤、熱濃硫酸や硝酸などの強酸、アルコール類などの反応試薬に対して化学的に安定であり、先程述べたように、700℃の高温でも異性化を起こすのみで、劣化せず、熱的にも非常に安定である。
【０００７】
以上のようなカルボランの優れた化学的、熱的安定性を利用して、カルボランを官能基として高分子に導入し、高分子の特性を向上させることが行われている。それらカルボラン導入高分子は、耐熱・耐薬品の配管、ガスケット、膜、被覆材に利用されている。
【０００８】
また、カルボラン導入高分子の優れた絶縁性を生かし、絶縁手袋や絶縁衣類が開発される一方、集積回路の絶縁物としても利用が試みられている。また、カルボラン分子の剛直性を利用し、液晶材料の構造要素としても応用が検討されている。さらに、カルボランはホウ素含有率がおよそ75重量％であるため、ホウ素自体の性質を利用した応用も開発されている。ホウ素は価電子が3個の3価元素である。
【０００９】
そのため、4価元素であるシリコンに対する正孔ドーピング剤としてホウ素が用いられるが、カルボランをシリコン基板上に化学蒸着することで、pタイプ半導体を製造する試みも行われている。また、ホウ素は2種類の安定同位体、10B（19.8％）と11B（80.2％）から成り立っている。一方の同位体の10Bは、熱中性子捕獲に対して非常に高い断面積（3.840×10-28 m2）を有するため、中性子捕捉剤として利用されている。また、10Bにおいて、10B + n = 4He + 7Li + 2.79 MeV（n：中性子、MeV：106電子ボルト）の核反応で生成する高エネルギー粒子は、半径10 μm（マイクロメートル）の飛行範囲に存在するどんな物質をも破壊する。
【００１０】
これを医療に応用したものが、ホウ素中性子捕捉療法である。この療法は、カルボラン誘導体を腫瘍患者に投与し、腫瘍に侵された目的臓器に取り込ませ、中性子線を腫瘍細胞に対して照射し、壊死させるものである。その他、ある種のカルボラン錯体が金属イオンを捕獲することを利用し、核廃棄物溶液から放射性イオンを補集し、濃縮する技術の研究が行われている。
【００１１】
以上のように、カルボランは、耐熱・耐火材料、耐薬品材料、半導体材料、液晶に代表される光学材料、原子力分野での中性子捕捉材、ホウ素中性子捕捉療法（ホウ素の中性子捕捉により発生するα線を利用する療法）に用いられる医薬品、放射性廃棄物の処理剤など、幅広い産業分野で利用価値が高い。しかしながら、カルボラン同士が直接連結し、集積した物質は知られていない。
【００１２】
【発明が解決しようとする課題】
物質を分割して行くと、その物性はバルクの固体の持つ物性から外挿した予想とは著しく異なることが知られ、一般に、原子数が概ね103以下になった超微小物質はクラスターと呼ばれる。クラスターは構成原子数が少ないため、サイズが1原子違っただけでもその性質は著しく変化し、また、構成原子の種類によって原子間の結合様式が変化し、その物性も大きく異なったものとなる。このことは、クラスターのサイズを制御したり、構成原子を選択することにより、多様な物性を発現することが可能であることを意味する。
【００１３】
さらに、所定のサイズと組成を持ったクラスターで構成されるミクロな構造を形成すれば、バルクの固体にはない新たな物性を産み出せると期待されている。一般に、クラスターの最小構成単位は原子であるが、クラスターを最小単位とし、それらが何らかの化学結合を介して集積した微小物質は、“クラスターのクラスター”であることから、スーパークラスターと呼ばれる。スーパークラスターを構成するためには、その最小単位のクラスターが、ある一定の安定性と独自性を維持していることが必要である。すなわち、まず、第一に、構成単位のクラスターは1個の分子として安定であるべきで、第二に、クラスター同士が化学結合を介して連結することによりスーパークラスターを構成した後も、分子としての性質をある程度は維持していることが条件である。
【００１４】
通常の原子単位のクラスター同様、スーパークラスターは独特の物性を発現する新規材料とし期待され、スーパークラスターを安定に効率良く生産する技術は、産業上、幅広い分野で利用価値が非常に高い。しかしながら、スーパークラスターを実現した例は殆どなく、フラーレンの1つであるC60が重合したC60ポリマーが知られている程度であり、新規のスーパークラスターの開発が望まれていた。
【００１５】
カルボランは、上述のように、幾何学的にも電子構造的にも閉殻した非常に安定なクラスター分子である。さらに、カルボラン分子の性質は、正20面体のカルボラン骨格の電子構造で概ね規定されるが、電子構造的に影響が少ない水素を脱離させて連結する方法、すなわち、脱水素縮合でカルボラン骨格を維持しつつカルボラン同士を集積させれば、スーパークラスターを構成した後も分子としての独自性を維持し続けることが可能であると期待される。
【００１６】
このように、カルボランは、スーパークラスター構成単位としての条件を満たしているが、それを実現する技術がないのが現状で、カルボランを構成単位とするスーパークラスターも作製されていない。
【００１７】
【課題を解決するための手段】
上記の目的のために、本発明では、クラスターであるカルボラン（Ｃ２Ｂ１０Ｈ１２）を構成単位として、それらが所定数規則正しく配列して連結され、さらに大きなクラスターを構成していることを特徴とするカルボランスーパークラスターを用いる。本発明で示されるスーパークラスターは、カルボランを逐次的に反応させることにより、Ｃ２ｍＢ１０ｍＨ１２ｍ−ｘ（ｘ：正の整数、ｍ：２以上の整数）の分子式で表され、今迄に報告がない新規物質群である。カルボランを固相、もしくは液相で反応させても、本発明で示すカルボランスーパークラスターは製造することは出来ない。上記目的を達成するために本発明では、カルボランスーパークラスターを気相中で製造する。
【００１８】
【発明の実施の形態】
以下、本発明の実施の形態について図面を参照しながら説明する。
【００１９】
まず、本発明についてさらに、具体的に説明する。
【００２０】
本発明では、反応容器中にカルボラン気体を満たし、室温で、イオンクラスター反応により、課題のスーパークラスターを製造する。反応開始のために一部のカルボランをイオン化させると、カルボランイオンと中性のカルボラン分子が逐次的に反応し、クラスター成長して行く。逐次反応の各段階で、カルボラン同士が、B-BまたはB-CまたはC-C結合を介して連結する際、ホウ素や炭素原子を終端していた水素原子は水素分子：H2の形で脱離する。すなわち、カルボラン同士は脱水素縮合で連結し成長する。
【００２１】
クラスター成長中の各段階で、スーパークラスターは荷電しているので、静電場を利用して、任意の大きさに成長したスーパークラスターを反応容器から取り出すことが可能である。また、後述するEQSITイオントラップを備えた反応容器中でクラスター成長を行った場合、EQSITイオントラップの輸送機能を利用することにより、成長したスーパークラスターを質量選別し、イオンビームとして取り出すことも可能である。
【００２２】
本発明の実施の形態によるカルボランスーパークラスターの具体例を以下に示す。図２は本発明の実施の形態によるカルボランスーパークラスターの製造に用いる反応装置を示す図である。
【００２３】
図２に示すように、反応装置は、反応チャンバー1を備えている。反応チャンバー1は、真空を保てる密閉構造を持ち、真空排気のための真空ポンプ、原料のカルボラン気体、緩衝用ガス（ヘリウムなどの不活性ガス）用の導入管4、原子や分子のイオン化に用いる電子ビーム源2、電子ビームを静電場で加速する電極2、クラスター成長を確認するための質量分析装置9および13、クラスターイオンを効率良く捕獲、保持、輸送するためのEQSIT（External Quadrupole and Static attraction Ion Trap、特開平09-61597号公報）イオントラップ装置が備わっている。
【００２４】
イオントラップ装置は、4重極電極6と円筒型の金属製かご7から構成され、4重極電極6は、直流電源10と交流電源11に繋がれている。4重極電極6と円筒型の金属製かご7の間に、直流と交流電圧を重畳して印加することにより、4重極電極6の中心から円筒型の金属製かご7への動径方向に沿ってトラップポテンシャルが形成され、イオンを捕獲・保持することが出来る。また、イオンを4重極電極6の中央を通してイオントラップ外（収束レンズ5のある方向）に輸送することも出来る。
【００２５】
第1の4重極質量分析計9の入り口には、収束レンズ5が設けられ、一方、第2の4重極質量分析計13の入り口には、引き出し電極12が設けられている。ただし、質量分析装置9、13やクラスターを捕獲、保持、輸送する機構は必ずしも必要でなく、また別のものを使用しても問題ない。
【００２６】
以下の例では、反応装置壁からの不純物の脱ガスがない十分な真空下、カルボラン気体と必要に応じて緩衝ガスをガス導入口4から導入し、一部のカルボランを電子ビーム源2からの電子ビームでイオン化し、その結果生じたカルボランイオンと残りの中性のカルボランとを反応させた。
【００２７】
カルボランイオンや生成途中のスーパークラスターイオンはEQSITイオントラップ7で捕獲・保持した。製造したスーパークラスターイオンは、次に示す2種類の方法でイオントラップ外に取り出した。
【００２８】
まず、第1は、EQSITイオントラップの4重極電極の内側の空間を通してスーパークラスターを質量選択的に輸送する方法で、連続的な電子ビーム照射によって、EQSITイオントラップ内に定常的に存在する様々な成長段階にあるスーパークラスターを連続的に取り出す場合に用い、スーパークラスターイオンの質量分析は第1の4重極質量分析計9で行った。
【００２９】
第2は、静電場で強制的にスーパークラスターイオンを引き出す方法で、パルス状の電子ビーム照射で反応を開始し、所定の反応時間の後に成長しているスーパークラスターイオンを瞬間的に取り出す場合に用い、スーパークラスターイオンの質量分析は第2の4重極質量分析計13で行った。スーパークラスターの原料であるカルボランは、純度：99.9％のものを用いた。
【００３０】
（例1）
図３は10 ms（ミリ秒）の電子ビーム照射後、イオントラップ中で、オルト-カルボランイオン：o-C2B10H12+が中性のオルトカルボラン：o-C2B10H12と反応して、カルボランスーパークラスターイオンが経時的に成長して行く様子を示す時間分解4重極質量スペクトルである。質量スペクトルの横軸は質量／電荷（amu単位）、縦軸は観測されるイオンのカウント数である。
【００３１】
実験条件は以下の通りである。オルト-カルボランガスの圧力：1.0×10-6 Torr、電子ビーム源：W（タングステン）フィラメント（エミッション電流：0.10 mA）。なお、イオントラップからのクラスターは取り出しは、前述の第2の方法を用いた。図３の（a）から図３（e）に行くに従って、電子ビーム照射後のイオンをトラップ内に保持する時間、すなわち、クラスター成長を行わせる時間が長くなっている。
【００３２】
図３（a）に示すように、電子ビーム照射直後の保持時間：10 msでは、オルト-カルボラン1量体イオンに対応するピーク（m / z = 〜144）とともに、m / z =〜286に見られる2量体（カルボランスーパークラスター：C2mB10mH12m-x、m = 2）イオンが成長し始め、図３（b）の100 ms後では、1量体イオンのピークが減衰する一方で、2量体イオンのピーク強度が増加している。また、この時、m / z = 〜425に見られる3量体（カルボランスーパークラスター：C2mB10mH12m-x、m = 3）イオンに対応するピークも出現している。
【００３３】
図３（c）の1 s後、2量体イオンと入れ替わり、3量体イオンが支配的になるが、m / z = 〜560に見られる4量体（カルボランスーパークラスター：C2mB10mH12m-x、m = 4）イオンが成長しつつあることが観測される。なお、3量体以下と比較して、4量体は寿命が長いことから、特に安定であることが分かる。4量体の安定性はその構造に由来すると考えられ、後述のように、カルボランが正4面体の頂点に配置され、互いに連結した強固な構造をとるためと考えられる。
【００３４】
次に、図３（d）の10 s後では、m / z = 〜735に見られる5量体（カルボランスーパークラスター：C2mB10mH12m-x、m = 5）イオン、図３（e）の100 s後には、添え図の拡大図のスペクトルに見られるように、  m / z  = 〜840の6量体（カルボランスーパークラスター：C2mB10mH12m-x、m = 6）イオン、m / z = 〜970の7量体（カルボランスーパークラスター：C2mB10mH12m-x、m = 7）イオンが成長しており、以下、反応は逐次的に継続する。これらの観察から、気相中でカルボランスーパークラスターが成長することが確認される。
【００３５】
成長の機構は、カルボラン1量体イオンと中性のカルボランがまず反応してカルボラン2量体イオンが生成し、さらに2量体イオンが中性のカルボランと反応して3量体イオンが生成し、同様に、4量体イオン、5量体イオン、…、と逐次的に成長する機構、すなわち、イオン分子反応に基づくクラスター成長機構と同定される。
【００３６】
次に、カルボランスーパークラスター生成に伴い、どのような原子の脱離が起こるかについて述べる。上述のように、カルボラン分子は、幾何学的にも電子構造的にも閉殻していることに由来して、非常に強固で安定な分子であるため、スーパークラスター化の際、カルボラン骨格は維持され、骨格を取り囲む水素原子を脱離しつつ連結することが予想されるが、現実にそうなっている。
【００３７】
まず、図3に見られるように、質量スペクトルは非常に単純で、炭素原子やホウ素原子の脱離を伴うフラグメンテーションは起こっていない。従って、スーパークラスター化に伴い、カルボラン骨格は維持されていることが分かる。水素原子の脱離については、次に示すような高分解質量スペクトルから、その脱離水素原子数を見積もることが出来る。
【００３８】
図4（a）はオルト-カルボラン2量体の高分解能質量スペクトルであり、図４の実線は観測で得られたスペクトル、破線はカルボラン分子2個が水素原子2個を脱離して連結すると仮定した場合の計算で得られるスペクトルである。
【００３９】
また、図４（b）はオルト-カルボラン4量体の場合で、計算スペクトルは、オルト-カルボラン4個が水素原子12個を脱離して連結すると仮定して得られたものである。図４（a）及び（b）ともに実験と計算の良い一致が見られる。
【００４０】
従って、2量体形成の際に水素原子2個が脱離し、4量体形成の際には水素原子12個前後が脱離すると結論することが出来る。なお、同様の測定と計算から、3量体では8 ± 2個、5量体では16 ± 2個の水素原子がスーパークラスター化で失われることが実験により明らかとなった（表1の実験値を参照）。
【００４１】
【表１】
0003824058.tif 000002
【００４２】
次に、カルボランスーパークラスターの連結様式について考察する。カルボランスーパークラスターは、脱水素縮合により、B-B結合またはB-C結合またはC-C結合を通して共有結合的に連結していると考えられる。前述の水素原子脱離数から判断すると、カルボランスーパークラスターの連結様式には、図5のような2種類が挙げられる。
【００４３】
図5（a）はカルボランが1次元的に連結した様式、図５（b）はカルボランが3次元的に密に詰まった様式である。様式（a）と（b）の連結様式をとった場合、それぞれ脱離すべき水素原子数は、表1に示すようになる。双方とも実験値にほぼ近い値であるが、2量体の場合、様式（a）では実験値と異なる。
【００４４】
また、様式（a）では連結部分に4員環が生じるため、スーパークラスターの歪みエネルギーが大きい。さらに、前述した通り、4量体のスーパークラスターが特に安定であるが、様式（a）は単純な連鎖構造なので、4量体の時に限って特に安定になる積極的な理由はないが、様式（b）では4量体の時、カルボランの中心を頂点に置く正4面体構造をとり、構造的に強固であるため、特異的に安定になると考えることが出来る。
【００４５】
以上の理由から、カルボランスーパークラスターの連結様式としては、様式（b）の方が可能性が高い。
【００４６】
様式（b）に従って、カルボラン分子を13個連結すると、図6のようなカルボラン分子の中心を頂点に置く正20面体対称のスーパークラスター（1分子は中心）が出来上がる。この13量体スーパークラスターは、安定で頑丈な分子構造を持つカルボランを構成要素としていること、最密充填的に多数の共有結合で連結されていることを考慮すると、強固な構造を持ち安定な4量体にも況して、非常に剛直で安定な分子であると期待される。
【００４７】
13量体スーパークラスターは、水素原子を除くと、ホウ素原子が130個、炭素原子が26個、計156個の原子から構成され、水素を除いた骨格部分の大きさは約1.2〜1.3 nmである。従って、分子の観点からすると巨大分子であり、バルク固体との比較からは超微粒子（ナノ粒子）と見なすことが出来る。ただし、一般のナノ粒子と13量体スーパークラスターの間には次のような決定的な相違点がある。すなわち、一般のナノ粒子は原子が構成単位であるため、それぞれのナノ粒子間に大きさや構成原子数に多少のばらつきが必ずある。
【００４８】
これに対して、13量体スーパークラスターはクラスターを単位構造とするので、大きさや構成原子数が一定で単分散である。従って、13量体スーパークラスターを集積させる場合、原子や分子が積み重なって結晶構造を形成するように、秩序のある構造を形成し易いと考えられる。
【００４９】
さらに、13量体スーパークラスターを集積させた物質材料は、その秩序構造に由来する特徴的なの諸物性を発現することが期待される。この特長は、13量体スーパークラスターに限らず、さらに多数のカルボランが連結したスーパークラスターについても当てはまる。
【００５０】
（例2）
図7は、メタ-カルボランから生成されるカルボランスーパークラスターの4重極質量スペクトルである。なお、添え図のスペクトルは250倍の拡大図である。
【００５１】
実験条件は以下の通りである。メタ-カルボランガスの圧力：1.0×10-6 Torr、電子ビーム源：Wフィラメント（エミッション電流：0.05 mA）。なお、イオントラップからのクラスターは取り出しは、前述の第1の方法を用いた。
【００５２】
オルト-カルボラン同様、メタ-カルボランからもカルボランスーパークラスターが生成することが確認される。
【００５３】
（例3）
図8は、パラ-カルボランから生成されるカルボランスーパークラスターの4重極質量スペクトルである。なお、添え図のスペクトルは20倍の拡大図である。
【００５４】
実験条件は以下の通りである。パラカルボランガスの圧力：1.0×10-6 Torr、バッファーガスのヘリウムの圧力：5.0×10-6 Torr、電子ビーム源：Wフィラメント（エミッション電流：0.05 mA）。なお、イオントラップからのクラスターは取り出しは、前述の第1の方法を用いた。
【００５５】
オルト-カルボラン、メタ-カルボラン同様、パラ-カルボランからもカルボランスーパークラスターが生成することが確認される。また、オルト-カルボラン、メタ-カルボラン、パラ-カルボランのうちの2種類、もしくは3種類同時に反応容器に導入することにより、オルト-カルボラン、メタ-カルボラン、パラ-カルボランの組み合わせから成るカルボランスーパークラスターを生成させることも可能である。
【００５６】
図9はパラ-カルボランをイオン化し、それぞれ、（a）ヘリウム雰囲気下、（b）水素雰囲気下、（c）重水素雰囲気下でイオントラップを行った場合のパラ-カルボラン1量体イオンの質量スペクトルである。図９（a）のヘリウム雰囲気下において、m / z = 141〜146に現われる一連のピークが1量体イオン：C2B10H12+に対応する。図９（b）の水素雰囲気下では、それに対応するピーク全体が1  amu（水素原子1個分）高質量側にシフトする。
【００５７】
この変化は、1量体イオン：C2B10H12+に水素原子が1個付加して、C2B10H13+ ・ (C2B10H12)H+（C2B10H13+と(C2B10H12)H+とは平衡状態）と変化したことに対応していると考えられる。このような水素原子が1個付加する現象は、次のように解釈出来る。すなわち、上述のように、中性のカルボランは、カルボラン骨格の合計13個の結合性分子軌道に26個の電子を収容し、電子的閉殻を得ることにより安定化する。カルボランをイオン化すると、骨格部分から1電子が取り除かれ、電子構造的に閉殻出来ない。しかしながら、もし、カルボランイオンに水素原子が1原子付加すると、水素原子の電子を1個獲得することが出来て、中性の場合のように26個の電子が利用可能となり、すべての結合性軌道を満たして安定化することが出来る。
【００５８】
従って、水素原子を獲得出来る環境下では、水素分子から1原子を奪ってでも、C2B10H13+ ・ (C2B10H12)H+となる傾向があると考えられる。なお、このような現象は、水素原子を含むシラン（SiH4）雰囲気下でも見られ、前述の解釈を支持する。
【００５９】
次の図9（c）の重水素雰囲気下では、  m / z = 142〜147とm / z = 153〜158の二山のスペクトルが観測される。これは、トラップされているカルボランイオンの約半分が重水素化されたためと考えることが出来る。なお、中性のカルボランの場合、このような水素重水素置換は起こらない。
【００６０】
従って、カルボランは、イオン化することにより、B-H結合やC-H結合が弱まっていると類推される。すなわち、カルボランイオンの水素原子は脱離し易い状態にあり、水素脱離を伴う反応が起こり易くなっていると考えられる。中性のカルボランのみからは、カルボランスーパークラスターを生成させることが出来ない事実を考え合わせると、カルボランイオンをまず発生させ、イオンの状態で逐次的反応を継続することが、カルボランスーパークラスター合成の要と考えられる。
【００６１】
【発明の効果】
以上説明したように、本発明によれば、カルボランを構成単位として、それらが連結して、さらに大きなクラスターを構成していることを特徴とするクラスターのクラスター（スーパークラスター）の製造が可能であり、熱力学的にも化学的にも非常に安定なクラスター分子であるカルボラン（C2B10H12の場合、ホウ素の含有率〜75重量％）を構成単位としていることから、耐熱・耐火材料、耐薬品材料、半導体材料、原子力分野での中性子捕捉材、ホウ素中性子捕捉医療法に用いられる医薬品、放射性廃棄物の処理剤、光学材料として、あるいはこれらの材料を形成するための中間物質として利用することが出来る。
【００６２】
特に、本発明で示されるスーパークラスターは、構造が原子レベルで制御されていることを特徴とするので、ナノメートルという寸法で代表される原子のスケールで精度の高い構造形成のための所定のミクロな原子配列を持つ構成部品として利用することが可能である。従って、化学からエレクトロニクスに渡る幅広い次世代の産業分野で利用することが出来る。
【図面の簡単な説明】
【図１】（a）はデカボラン（14）、（b）はオルト-カルボラン、（c）はメタ-カルボラン、（d）はパラ-カルボランの分子構造を示す図である。
【図２】本発明のクラスター製造のためのイオントラップを備えた反応装置の概略構成を示す図である。
【図３】オルト-カルボランから構成されるカルボランスーパークラスターの成長を表す時間分解4重極質量スペクトルを示す図である。添え図のスペクトルは拡大スペクトルを示す図である。
【図４】（a）はオルト-カルボラン2量体の質量スペクトルを示す図であり、実線は実測スペクトル、破線は計算スペクトルを示す。（b）はオルトカルボラン4量体の質量スペクトルを示す図であり、実線は実測スペクトル、破線は計算スペクトルを示す。
【図５】（a）は1次元鎖状的な連結様式、（b）は3次元最密充填的な連結様式を示す図である。
【図６】  13個のカルボラン分子から成る正20面体対称のスーパークラスターを示す図である。
【図７】メタ-カルボランから構成されるカルボランスーパークラスター生成を表す質量スペクトルを示す図である。添え図のスペクトルは拡大スペクトルを示す図である。
【図８】パラ-カルボランから構成されるカルボランスーパークラスター生成を表す質量スペクトルを示す図である。添え図のスペクトルは拡大スペクトルを示す図である。
【図９】パラ-カルボランを、（a）ヘリウム雰囲気、（b）水素雰囲気、（c）重水素雰囲気でイオン化し、イオントラップした場合の質量スペクトルを示す図である。
【符号の説明】
1  反応チャンバー
2  電子ビーム源
3  加速電極
4  ガス導入口
5  収束レンズ
6  4重極
7  円筒型の金属製かご
8  捕獲されたイオン
9  第1の4重極質量分析計
10  直流電源
11  交流電源
12  引き出し電極
13  第2の4重極質量分析計
【図１】
0003824058.tif 000003
【図２】
0003824058.tif 000004
【図３】
0003824058.tif 000005
【図４】
0003824058.tif 000006
【図５】
0003824058.tif 000007
【図６】
0003824058.tif 000008
【図７】
0003824058.tif 000009
【図８】
0003824058.tif 000010
【図９】
0003824058.tif 000011